(57)【要約】      （修正有）【課題】従来の彩画容器の構造に存在する気密性の不良、外界の空気が容易に進入する問題点について改善突破を付け加え、並びに進んで従来の彩画容器と接合環または底座の間の接合力不足の問題を改善する化粧品容器の構造を提供する。【解決手段】本化粧品容器の改良構造は、開口端１１及び閉鎖端１２を備え、閉鎖端には連接段が設けられ、連接段の外周縁表面には少なくとも一本のねじが設けられ、かつ連接段には底面を備えるＰＥＴ管体と、開口端にねじ付けられる筆先部３０、該筆先部内に嵌め付けられるブラシ棒４２及び筆先部外に取り付けられる筆蓋５０を備える彩画セットと、ねじ孔を備え、ねじ孔は連接段を収納することに用いられ、ねじによってねじ孔とねじ付け固定される組合せ部材６０とを含む。【選択図】図１
0003168826.tif 000002
【実用新案登録請求の範囲】
【請求項１】
化粧品容器の改良構造であって、
開口端及び閉鎖端を備え、開口端の外周縁表面には少なくとも一本の外ねじが設けられ、閉鎖端には連接段が設けられ、連接段の外周縁表面には少なくとも一本のねじが設けられ、かつ連接段には底面を備える管体と、
開口端にねじ付けられる筆先部、筆先部内に嵌め付けられるブラシ棒及び筆先部外に取り付けられる筆蓋を備える彩画セットと、
ねじ孔を備え、
ねじ孔は連接段を収納することに用いられ、ねじによってねじ孔とねじ付け固定される組合せ部材とを含むことを特徴とする、
化粧品容器の改良構造。
【請求項２】
前記管体はＰＥＴ管体であることを特徴とする請求項１記載の化粧品容器の改良構造。
【請求項３】
前記連接段の底面は平面または内凹弧面のうちの一つであることを特徴とする請求項１記載の化粧品容器の改良構造。
【請求項４】
前記組合せ部材は底座または接合環のうちの一つであることを特徴とする請求項１記載の化粧品容器の改良構造。
【請求項５】
前記筆先部には、
外ねじにねじ付けられ、開口端に相対する他の一端には嵌め付け端が設けられ、嵌め付け端に貫通孔が設けられてある筆先覆いと、
筆先覆いの内部に嵌め付けられ、それには貫通孔から貫き出せる筆先が設けられ、それと筆先の内部は中空の連通状に現われる筆先座と、
を備えることを特徴とする請求項１記載の化粧品容器の改良構造。
【請求項６】
前記孔には、孔と筆先の間を密着することができるフィルム縁が設けられてあることを特徴とする請求項５記載の化粧品容器の改良構造。
【請求項７】
前記筆先の末端は、円弧端であることを特徴とする請求項５記載の化粧品容器の改良構造。
【請求項８】
前記筆先覆い内縁の孔に近い個所には円弧状の案内部が設けられ、それによって筆先はスムーズに孔に入ることができることを特徴とする請求項５記載の化粧品容器の改良構造。
【請求項９】
前記ブラシ棒部は筆先座に取り付けられてある嵌め付け座を含み、
嵌め付け座の内部は中空状に現われ、かつ筆先座に相対する他の一側には中空のブラシ棒が延伸して設けられ、
ブラシ棒の末端には複数のブラシが設けられてあり、
ブラシ棒の嵌め付け座に近い側壁には少なくとも一つの案内孔が設けられてあることを特徴とする、請求項５記載の化粧品容器の改良構造。
【請求項１０】
前記嵌め付け座は更に気密突縁が設けられ、
筆先覆いの内縁に対応して環溝が設けられ、それによって気密突縁は環溝内に密着することができ、
嵌め付け座には更に形状が開口端の内縁に対応する突起部が設けられ、それによって嵌め付け座は開口端と気密に接合することができることを特徴とする、
請求項９記載の化粧品容器の改良構造。
【請求項１１】
前記筆先覆いの孔には嵌め付け端が設けられ、筆蓋内には嵌め付け端に対応して嵌め付け座が設けられ、それによって筆蓋は筆先覆いに可動に取り付けることができ、かつ嵌め付け座内には筆先の収納に用いられる針溝が設けられてあることを特徴とする請求項５記載の化粧品容器の改良構造。
【考案の詳細な説明】
【技術分野】
【０００１】
本考案は一種の容器の改良構造であり、更に詳しく言えば、化粧品容器の気密性を高めて内容物の乾燥または酸化変質を避け、更に進んで従来の化粧品容器の接合環または底座の接合力不足の問題を改善する化粧品容器の改良構造である。
【背景技術】
【０００２】
現代人の流行傾向と審美観が絶えず変化している中で、皮膚または爪に化粧品または化粧顔料を塗り、違った個人風格を作り上げることはすでに一種の流行になっている。
【０００３】
特に従来の化粧品または彩画容器とブラシ（ｂｒｕｓｈ）では現代の膚色の化粧または爪の彩画のニーズ（ｎｅｅｄｓ）を満足させることができず、逐次皮膚または爪に図案や模様を画き込むように変り、特有の皮膚または爪の装飾芸術の流行を作り出している。
【０００４】
例えば、請求人が前に登録請求して許可を得た米国特許第６０５９４７４号明細書には、筆先をもって直接彩画することができ、または付随のブラシをもって入れてある顔料を塗布可能な両用彩画容器を提供している。
【０００５】
それら彩画容器の筆先または蓋等の個所には多重の気密構造が設けられている。しかし、前記構造によっても、空気と連通する隙間が生じたり、またはブラシを繰り返し開け閉めして使用することにより、気密構造が緩んでしまって気密性が悪くなることがある。
【０００６】
その問題を防止するため、請求人は従来の彩画容器が気密性不良になる設計について改善を行い、空気が瓶内に入ることを確実に減らし、溶剤が変質または硬化してしまうことを防止している。
【０００７】
一方、彩画容器自身の構造に空気が容易に進入して内容物が変質する問題に加えて、従来の彩画容器の瓶または管体個所で染料または塗料を入れている部分の多くは、ナイロン（ｎｙｌｏｎ）材料等のプラスチック（ｐｌａｓｔｉｃ）射出成型によって作られているため、ナイロン材料から製造される瓶または管体の気密性がよくないという欠点があり、中に入れられた染料または塗料と空気を隔てるよりよい貯蔵環境を提供することができない。
また、保存過程において、塗料の原料と水に逐層分離の現象が起きてしまい、塗料の原料が一旦水と分離すると再び使用することができないので、使用者の不便とコスト（ｃｏｓｔ）の無駄になってしまう。
【０００８】
そのために、業界ではその後ナイロン材質とポリプロピレン（ｐｏｌｙｐｒｏｐｙｌｅｎｅ，  ＰＰ）材質を混合して製造された瓶または管体を提供している。
しかし、このような混合材料から製造された瓶または管体は、延展性や透光性が良くなく、かつ材質自身にも毛細孔を備え、そのために気密性は依然良くない状態にあり、理想的な保存効果を得ることができない。
更にこの混合材料から作られた瓶または管体には材質が硬すぎるという欠陥を備えるので、使用時は大きな力で瓶を圧搾しなければならなくなり、使用上の不便を導く。
【０００９】
更に、彩画容器が便利に使用されるため、それの底端には直径がやや小さい連接端が設けられ、その連接端は底座に嵌め付けることができ、彩画容器を安穏に立つようにする。
または彩画容器の両連接端の間に接合環をもって互いに嵌め付け接合し、それによって一度に多色の彩画顔料の携帯を便利にする。
【００１０】
ところが、従来の彩画容器の多くは瓶素材をもって高温高圧の吹き付け成型を経て製造され、その瓶素材のねじ端は筆先等構造とのねじ付けに用いられ、吹き付け膨張端に相対する連接端は瓶吹き付け成型をスムーズ（ｓｍｏｏｔｈ）にし、及び型との離脱を便利にするため、連接端と底座または接合環の間は凹凸相対の構造だけで互いに嵌め付けることができ、そのために固定する力に限度があり、彩画容器と底座または接合環の間に外力の圧搾を受けた場合、底座または接合環は彩画容器から脱落しやすくなる。
【００１１】
このほか、連接端の周辺壁面と底面の間は同じく成型によって作られ、かつ型からの離脱を便利にするため、円弧形リード（ｌｅａｄ）角状を呈するしかなく、彩画容器と底座または接合環の間に外力の圧搾を受けた場合、底座または接合環の内側壁面は緩んで円弧形リード角に沿って廻り脱落しやすくなり、当て止め固定の力を提供することができなくなる。
【考案の概要】
【考案が解決しようとする課題】
【００１２】
本考案は上述従来の欠点と不便が発生する個所に対し、彩画容器の改良構造を提供し、従来の彩画容器の構造に存在する気密性の不良、外界の空気が容易に進入する問題点について改良を付け加え、並びに進んで従来の彩画容器と接合環または底座の間の接合力不足の問題を改善する。
【００１３】
本考案の主要目的は、管体を高気密性の材料から構成された構造にし、それによって空気が管体から内部へ漏れ込むことを確実に防止し、管体内に入れてある内容物が変質または硬化することを避けることである。
【００１４】
本考案の次の目的は管体の連接段と組合せ部材の間をねじとねじ孔の相互ねじ付け固定にし、従来の凹凸嵌め付け構造の連結による固定力の不足や脱落しやすい問題を改善する。
【００１５】
本考案の更に一つの目的は底面とねじ段の接合縁を従来の円弧形縁から直角または鋭角状の接合縁に形成するよう改善し、それによって管体はより堅固、緊密に組合せ部材と接合することができ、従来の管体の底面とねじ孔の壁面が円弧形縁によって隙間が生じ、管体と組合せ部材が滑って抜け易いことに起因する問題を確実に改善する。
【課題を解決するための手段】
【００１６】
本考案の彩画容器の改良構造は次のものを含む。
管体、それは開口端及び閉鎖端を備える中空の容器であり、開口端の外周縁表面には少なくとも一本の外ねじが設けられ、閉鎖端には連接段が設けられ、連接段の外周縁表面には少なくとも一本のねじが設けられ、かつ連接段には底面が備えられてある。
【００１７】
彩画セット（Ｓｅｔ）は、開口の外ねじにねじ付けられる筆先部と、筆先部内に嵌め付けられるブラシ及び筆先部外に取り付けられる筆蓋を含む。
【００１８】
組合せ部材は、ねじ孔を備え、ねじ孔は連接段の収納に用いられ、並びにねじによってねじ孔にねじ付け固定される。
【図面の簡単な説明】
【００１９】
【図１】本考案の立体分解図である。
【図２】本考案の部分立体組合せ図である。
【図３】本考案の彩画セットの断面意表図である。
【図４】本考案の筆蓋部分の断面意表図である。
【図５】本考案の筆先の組み付け動作の意表図である。
【図６】本考案の使用状態の意表図である。
【図７】本考案の管体の製造動作の意表図（一）である。
【図８】本考案の管体の製造動作の意表図（二）である。
【図９】本考案の組合せ部材の部分断面意表図である。
【図１０】本考案のもう一つの実施態様の立体分解図である。
【考案を実施するための形態】
【００２０】
図１から図４に示すように、本考案は化粧品容器の改良構造であり、それは次のものを含む。
管体１０、それは開口端１１及び閉鎖端１２を備える中空の容器であり、管体１０はＰＥＴ材から製作され、開口端１１の外周縁表面には少なくとも一本の外ねじ１１１が設けられてある。閉鎖端１２には連接段１２１が設けられ、連接段１２１の外周縁表面には少なくとも一本の外ねじ１２２が設けられ、かつ連接段１２１には底面１２３を備え、底面１２３は平面または内凹の円弧面でもよく、それによって連接段１２１と底面１２３の接合個所は直角または鋭角状の接合縁１２４に形成される。
【００２１】
彩画セット２０、それは開口端１１の外ねじ１１１個所にねじ付けられてある筆先部３０と、筆先部３０内に嵌め付けられてあるブラシ棒部４０及び筆先部３０の外側に取り付けてある筆蓋５０を含む。
【００２２】
筆先部３０は次のものを含む。
外ねじ１１１にねじ付けられてある筆先覆い３１、筆先覆い３１の開口端１１に相対する他の一端には嵌め付け端３１１が設けられ、嵌め付け端３１１には貫通孔３１２が設けられ、かつ筆先覆い３１内縁壁面の貫通孔３１２に近い個所には円弧状の案内部３１４が設けられてある。
筆先覆い３１の内部に嵌め付けられる筆先座３２、それには貫通孔３１２から貫き出せる筆先３２１が設けられ、筆先座３２と筆先３２１の内部は中空の連通状に現われ、筆先３２１の末端は円弧端である。
【００２３】
ブラシ棒部４０、それは筆先座３２に取り付けられてある嵌め付け座４１を含み、嵌め付け座４１の内部は中空状に現われ、かつ筆先座３２に相対する他の一側には中空のブラシ棒４２が延伸して設けられ、ブラシ棒４２の末端には複数のブラシ４２１が設けられてある。
ブラシ棒４２の嵌め付け座４１に近い側壁には少なくとも一つの案内孔４２２が設けられ、ブラシ棒４２は案内孔４２２から嵌め付け座４１個所までの一部中空、または全部貫通した中空状でもよい。
そのうち、嵌め付け座４１は更に気密突縁４３が設けられ、並びに筆先覆い３１の内縁壁面に対応して環溝３１３が設けられ、それによって気密突縁４３は環溝３１３内に密着することができる。嵌め付け座４１には更に形状が開口端１１の内縁に対応する突起部４４が設けられ、それによって嵌め付け座４１は開口端１１と気密に接合することができる。
【００２４】
筆蓋５０内には嵌め付け端３１１に対応して嵌め付け座５１が設けられ、嵌め付け座５１の開口個所は内径が逐次縮小状に現われ、それによって筆蓋５０が筆先覆い３１に取り付けられた場合、嵌め付け端３１１の外を気密に締め付けることができる（図４に示す如く）。嵌め付け座５１内には筆先３２１の収納に用いられる針溝５２が設けられてある。
【００２５】
組合せ部材６０は、ねじ孔６１を備え、ねじ孔６１は連接段１２１をその中への収納に用いられ、かつねじ１２２によってねじ孔６１とねじ付け固定される。組合せ部材６０は底座または接合環でもよい。
【００２６】
図５に示すように、孔３１２と筆先３２１のサイズ（ｓｉｚｅ）が細いので、筆先座３２が筆先覆い３１内に取り付けられると、それは筆先覆い３１の内縁壁面の孔３１２に近い円弧状案内部３１４により、筆先座３２と筆先３２１はスムーズに孔３１２の方向へ入り込むことができる。
また、孔３２と筆先３２１のサイズが細く、それら両者を緊密に固定させる場合、それらに必要な精密度は極めて高く、それは加工精度及びコスト上昇の問題になるので、本考案の筆先覆い３１を製造する場合は孔３１２個所を閉鎖したようなフィルム（ｆｉｌｍ）３１５に形成し、筆先３２１がフィルム３１５から貫き出した場合、孔３１２と筆先３２１の間にはフィルムの縁が生じ、かつフィルムの縁は両者の間を確実に気密閉鎖して空気の進入を有効に防止し、製造の精密度を高める必要がなく、製造コスト及び難しさを減少することができる。
【００２７】
本考案は二種の彩画使用方式を備え、その一種は図３に示すように筆先覆い３１を筆蓋５０と一緒に開口端１１の外ねじ１１１個所から回し外し、ブラシ棒部４０を管体１０内から取り出し、ブラシ棒４２のブラシ毛４２１は管体１０内に入れてある化粧顔料をつけることに用いられ、使用者は直接ブラシ棒部４０をもって彩画または化粧の動作を行うことができる。
【００２８】
もう一つの使用方式は図６に示すように、それは筆蓋５０を筆先覆い３１から取り外し、管体１０を筆先３２１が下向きになる方向で使用する。管体１０内の化粧顔料は重力によって開口端１１の嵌め付け座４１個所に集中し、嵌め付け座４１、ブラシ棒４２、筆先座３２と筆先３２１の間は中空であり、かつ連通の状態であるので、化粧顔料は案内孔４２２の個所からブラシ棒４２へ流れ込み、更に嵌め付け座４１、筆先座３２を経て筆先３２１個所から流れ出し、使用者は筆先３２１をもって彩画または化粧の動作を行うことができる。また、筆先３２１の末端は円弧端状にしてもよいので、使用者は直接皮膚等の柔らかい個所に使用することができ、皮膚を傷つけることもない。
【００２９】
ＰＥＴ材から製造された管体１０には気密性がよい、透光性に優れ、軽質かつ強靭性を有する等の長所を備えるので、内容物の水気が管体から散逸して内容物が乾燥硬化することを確実に避けることができ、または外在空気が管体内に流れ込んで管体内容物が酸化変質することが避けられ、化粧顔料の保存用極めて適している。
更に管体１０は良好な弾力性を備え、使用者は管体１０を圧搾する力を軽易に制御することができ、それによって化粧顔料の流速及び流量を制御し、筆先３２１は太さの違う化粧筆の触感を生じることができる。
【００３０】
ところが、管体１０はＰＥＴ瓶素材をもって高温高圧で吹き付け成型によって製造されるので、瓶素材の開口端に予め設けられて管体１０の外ねじ１１１に用いられるねじは、一般の型はたとえ型孔内部にねじの凹溝が設けられても、ねじがあまりに細いので吹き付け成型がしにくく、更にねじ凹溝のガス（ｇａｓ）抜きが難しく、気泡を生じる欠陥が発生しやすくなる。そのために、一般の高温高圧吹き付け成型の製造方法は本考案に述べたような管体１０を製造することができない。
【００３１】
図７に示すのは本考案の管体１０を製造することに用いられる型セットであり、それは二つ相互に開け合わすことができる型７０が含まれ、それら型７０の間には管体１０に相対する型穴７１が形成され、型穴７１底端の連接段１２１に相対する個所は開放端であり、開放端には活動昇降可能な型塊７２が設けられ、型穴７１は連接段１２１に相対してねじ溝７３が凹入して設けられる。これにより、管体１０が吹き付け成型によって製造される場合、先ず瓶素材を高温加熱によって軟化した可塑状態にし、並びに高圧空気をもって吹き付けて型穴７１内で膨張変形させ、更に可動型塊７２を駆動して型穴７２内に押し付け（図８に示す如く）、このとき、瓶素材内の高圧空気の抵抗により、瓶素材の一部の材料はねじの凹溝７３内に押し込まれ、かつ確実にねじ凹溝７３内に充満し、相当はっきりとしてかつ完全なねじ１２２が形成される。尚且つ可動型塊７２が型穴７２内に押し付けられた場合、連接段１２１は底面１２３に形成され、並びに連接段１２１と底面１２３の接合個所は直角または鋭角状の接合縁１２４に形成される。
【００３２】
図９に示すように、組合せ部材６０は底座であり、管体１０の連接段１２１と組合せ部材６０の間はねじ１２２とねじ孔６１の互いの締め付け固定により、従来の凹凸をもって嵌め合わせる構造連結からの固定力不足、脱落しやすいという問題が改善される。管体１０と組合せ部材６０の間に外力を受けて圧搾された場合、組合せ部材６０のねじ孔６１の壁面の間には円弧形のリード角が存在しないので、確実に当て止めの力が発生し、組合せ部材６０の脱落を防止することができる。
【００３３】
更に図１０に示すように、前記組合せ部材６０が接合環である場合、ねじ孔６１は貫通して両管体１０の間は組合せ部材６０によって一体に接合され、両管体１０の連接段１２１はそれぞれ組合せ部材６０の両端からねじ込まれ、かつ両管体１０の底面１２３は組合せ部材６０内で互いに当て付け接触し、それをもって外力への抵抗の効果を強め、それら管体１０と組合せ部材６０の脱落の問題を確実に防止することができる。
【符号の説明】
【００３４】
１０      管体
１１      開口端
１２      閉鎖端
１１１    外ねじ
１２１    連接段
１２２    ねじ
１２３    底面
１２４    接合縁
２０      彩画セット
３０      筆先部
３１      筆先覆い
３１１    嵌め付け端
３１２    孔
３１３    環溝
３１４    案内部
３１５    フィルム
３２      筆先座
３２１    筆先
４０      ブラシ棒部
４１      嵌め付け座
４２      ブラシ棒
４２１    ブラシ毛
４２２    案内孔
４３      気密突縁
４４      突起部
５０      筆蓋
５１      嵌め合わせ座
５２      針溝
６０      組合せ部材
６１      ねじ孔
７０      型
７１      型穴
７２      可動型塊
７３      ねじ凹溝
【図１】
0003168826.tif 000003
【図２】
0003168826.tif 000004
【図３】
0003168826.tif 000005
【図４】
0003168826.tif 000006
【図５】
0003168826.tif 000007
【図６】
0003168826.tif 000008
【図７】
0003168826.tif 000009
【図８】
0003168826.tif 000010
【図９】
0003168826.tif 000011
【図１０】
0003168826.tif 000012